【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
遊技球が通過又は入球することにより普通図柄の抽選契機となる普通図柄始動部と、遊技球が常時入球可能な第１始動口と、前記普通図柄の抽選の抽選結果が当りとなると所定の開放態様で開放する普通電動役物と、該普通電動役物の開放時に遊技球が入球困難若しくは入球不能な閉鎖状態から入球容易若しくは入球可能な開放状態に変化可能な第２始動口と、１個若しくは複数個の大入賞口とが遊技領域に設けられ、
該遊技領域が、発射手段で発射された遊技球の発射威力が所定力未満であると流下する可能性が高い第１遊技領域部と、前記所定力以上であると流下する可能性が高い第２遊技領域部とを具備し、
前記第１始動口又は前記第２始動口への入球に起因して当否判定を行う当否判定手段と、
前記第１始動口に遊技球が入球することに起因し、特別図柄の一態様を構成する第１特別図柄の変動表示を行った後、該第１始動口への入球に起因して実行される当否判定の結果を示す停止図柄を、確定表示する第１特別図柄表示手段と、
前記第２始動口に遊技球が入球することに起因し、特別図柄の他態様を構成する第２特別図柄の変動表示を行った後、該第２始動口への入球に起因して実行される当否判定の結果を示す停止図柄を、確定表示する第２特別図柄表示手段と、
前記特別図柄の変動表示時間を特定するデータを所定数格納するとともに、遊技状態と特別図柄の態様に応じて各々設けられた変動テーブルと、
前記当否判定が行われると、遊技状態及び特別図柄の態様に応じた変動テーブルを参照して、前記特別図柄の変動表示時間を決定する変動表示時間決定手段と、
前記第１始動口又は前記第２始動口への入球に起因して実行された当否判定で大当りと判定されることに基づき、大当り遊技を実行する大当り遊技実行手段と、
前記第１始動口又は前記第２始動口への入球に起因して実行された当否判定の結果、前記第１始動口よりも前記第２始動口がより高確率で小当りと判定され、該小当りと判定されることに基づき、小当り遊技を実行する小当り遊技実行手段と、
前記大当り遊技実行後の遊技状態を、前記当否判定において大当りと判定される確率が通常遊技状態における確率よりも高確率とされた高確率状態に設定する高確率状態設定手段と、
を備え、前記第１特別図柄の変動表示と前記第２特別図柄の変動表示を同時に実行可能な遊技機であって、
前記第２特別図柄の変動表示時間を決定する際に参照する変動テーブルとして、前記遊技状態が通常遊技状態であるときに、格納されたデータが特定する平均変動時間が長い変動テーブルが参照され、前記遊技状態が高確率状態であるときに、格納されたデータが特定する平均変動時間が短い変動テーブルが参照されると共に、
前記第１始動口は前記第１遊技領域部に設けられ、
前記普通図柄始動部と、前記普通電動役物と、前記小当り遊技を実行する際に開閉する大入賞口とが、前記第２遊技領域部において遊技球の流下方向に沿った上流側から順に設けられ、前記普通電動役物が開放状態となると前記小当り遊技を実行する際に開閉する大入賞口への入球が困難となり、前記普通電動役物が閉鎖状態となると前記小当り遊技を実行する際に開閉する大入賞口への入球が容易となるように構成され、
前記当否判定において小当りと判定されると、該小当りの種類を決定する小当り種類決定手段を備え、決定される小当りの種類に応じて、普通図柄の抽選に関する抽選結果が当りのときの普通電動役物の開放態様が異なる態様に切り替わることを特徴とする遊技機。
【請求項２】
遊技球が通過又は入球することにより普通図柄の抽選契機となる普通図柄始動部と、遊技球が常時入球可能な第１始動口と、前記普通図柄の抽選の抽選結果が当りとなると所定の開放態様で開放する普通電動役物と、該普通電動役物の開放時に遊技球が入球困難若しくは入球不能な閉鎖状態から入球容易若しくは入球可能な開放状態に変化可能な第２始動口と、１個若しくは複数個の大入賞口とが遊技領域に設けられ、
該遊技領域が、発射手段で発射された遊技球の発射威力が所定力未満であると流下する可能性が高い第１遊技領域部と、前記所定力以上であると流下する可能性が高い第２遊技領域部とを具備し、
前記第１始動口又は前記第２始動口への入球に起因して当否判定を行う当否判定手段と、
前記第１始動口に遊技球が入球することに起因し、特別図柄の一態様を構成する第１特別図柄の変動表示を行った後、該第１始動口への入球に起因して実行される当否判定の結果を示す停止図柄を、確定表示する第１特別図柄表示手段と、
前記第２始動口に遊技球が入球することに起因し、特別図柄の他態様を構成する第２特別図柄の変動表示を行った後、該第２始動口への入球に起因して実行される当否判定の結果を示す停止図柄を、確定表示する第２特別図柄表示手段と、
前記特別図柄の変動表示時間を特定するデータを所定数格納するとともに、遊技状態と特別図柄の態様に応じて各々設けられた変動テーブルと、
前記当否判定が行われると、遊技状態及び特別図柄の態様に応じた変動テーブルを参照して、前記特別図柄の変動表示時間を決定する変動表示時間決定手段と、
前記第１始動口又は前記第２始動口への入球に起因して実行された当否判定で大当りと判定されることに基づき、大当り遊技を実行する大当り遊技実行手段と、
少なくとも前記第２始動口への入球に起因して実行された当否判定の結果が小当りと判定されることに基づき、小当り遊技を実行する小当り遊技実行手段と、
前記大当りとして確変大当りと通常大当りを備え、前記大当りが確変大当りに決定されると前記大当り遊技実行後の遊技状態を、前記当否判定において大当りと判定される確率が通常遊技状態における確率よりも高確率とされた高確率状態に設定する高確率状態設定手段と、を備え、
前記高確率状態には、前記小当り遊技を実行する際に開閉する大入賞口に入球が容易な第１高確率状態と、該第１高確率状態より該入球が困難な第２高確率状態と、該第２高確率状態より該入球が困難な第３高確率状態とがあり、
前記第１特別図柄の変動表示と前記第２特別図柄の変動表示を同時に実行可能な遊技機であって、
前記第２特別図柄の変動表示時間を決定する際に参照する変動テーブルとして、前記遊技状態が通常遊技状態であるときに、格納されたデータが特定する平均変動時間が長い変動テーブルが参照され、前記遊技状態が高確率状態であるときに、格納されたデータが特定する平均変動時間が短い変動テーブルが参照されると共に、
前記第１始動口は前記第１遊技領域部に設けられ、
前記普通図柄始動部と、前記普通電動役物と、前記小当り遊技を実行する際に開閉する大入賞口とが、前記第２遊技領域部において遊技球の流下方向に沿った上流側から順に設けられ、前記普通電動役物が開放状態となると前記小当り遊技を実行する際に開閉する大入賞口への入球が困難となり、前記普通電動役物が閉鎖状態となると前記小当り遊技を実行する際に開閉する大入賞口への入球が容易となるように構成され、
前記確変大当りを複数種類備え、該確変大当りの種類に応じて普通図柄の抽選に関する抽選結果が当りのときの普通電動役物の開放態様が異なる態様に切り替わることを特徴とする遊技機。
【手続補正２】
【補正対象書類名】明細書
【補正対象項目名】０００７
【補正方法】変更
【補正の内容】
【０００７】
請求項１に記載の遊技機は、
遊技球が通過又は入球することにより普通図柄の抽選契機となる普通図柄始動部と、遊技球が常時入球可能な第１始動口と、前記普通図柄の抽選の抽選結果が当りとなると所定の開放態様で開放する普通電動役物と、該普通電動役物の開放時に遊技球が入球困難若しくは入球不能な閉鎖状態から入球容易若しくは入球可能な開放状態に変化可能な第２始動口と、１個若しくは複数個の大入賞口とが遊技領域に設けられ、
該遊技領域が、発射手段で発射された遊技球の発射威力が所定力未満であると流下する可能性が高い第１遊技領域部と、前記所定力以上であると流下する可能性が高い第２遊技領域部とを具備し、
前記第１始動口又は前記第２始動口への入球に起因して当否判定を行う当否判定手段と、
前記第１始動口に遊技球が入球することに起因し、特別図柄の一態様を構成する第１特別図柄の変動表示を行った後、該第１始動口への入球に起因して実行される当否判定の結果を示す停止図柄を、確定表示する第１特別図柄表示手段と、
前記第２始動口に遊技球が入球することに起因し、特別図柄の他態様を構成する第２特別図柄の変動表示を行った後、該第２始動口への入球に起因して実行される当否判定の結果を示す停止図柄を、確定表示する第２特別図柄表示手段と、
前記特別図柄の変動表示時間を特定するデータを所定数格納するとともに、遊技状態と特別図柄の態様に応じて各々設けられた変動テーブルと、
前記当否判定が行われると、遊技状態及び特別図柄の態様に応じた変動テーブルを参照して、前記特別図柄の変動表示時間を決定する変動表示時間決定手段と、
前記第１始動口又は前記第２始動口への入球に起因して実行された当否判定で大当りと判定されることに基づき、大当り遊技を実行する大当り遊技実行手段と、
前記第１始動口又は前記第２始動口への入球に起因して実行された当否判定の結果、前記第１始動口よりも前記第２始動口がより高確率で小当りと判定され、該小当りと判定されることに基づき、小当り遊技を実行する小当り遊技実行手段と、
前記大当り遊技実行後の遊技状態を、前記当否判定において大当りと判定される確率が通常遊技状態における確率よりも高確率とされた高確率状態に設定する高確率状態設定手段と、
を備え、前記第１特別図柄の変動表示と前記第２特別図柄の変動表示を同時に実行可能な遊技機であって、
前記第２特別図柄の変動表示時間を決定する際に参照する変動テーブルとして、前記遊技状態が通常遊技状態であるときに、格納されたデータが特定する平均変動時間が長い変動テーブルが参照され、前記遊技状態が高確率状態であるときに、格納されたデータが特定する平均変動時間が短い変動テーブルが参照されると共に、
前記第１始動口は前記第１遊技領域部に設けられ、
前記普通図柄始動部と、前記普通電動役物と、前記小当り遊技を実行する際に開閉する大入賞口とが、前記第２遊技領域部において遊技球の流下方向に沿った上流側から順に設けられ、前記普通電動役物が開放状態となると前記小当り遊技を実行する際に開閉する大入賞口への入球が困難となり、前記普通電動役物が閉鎖状態となると前記小当り遊技を実行する際に開閉する大入賞口への入球が容易となるように構成され、
前記当否判定において小当りと判定されると、該小当りの種類を決定する小当り種類決定手段を備え、決定される小当りの種類に応じて、普通図柄の抽選に関する抽選結果が当りのときの普通電動役物の開放態様が異なる態様に切り替わることを特徴とする。
【手続補正３】
【補正対象書類名】明細書
【補正対象項目名】００１３
【補正方法】変更
【補正の内容】
【００１３】
請求項２に記載の遊技機は、
遊技球が通過又は入球することにより普通図柄の抽選契機となる普通図柄始動部と、遊技球が常時入球可能な第１始動口と、前記普通図柄の抽選の抽選結果が当りとなると所定の開放態様で開放する普通電動役物と、該普通電動役物の開放時に遊技球が入球困難若しくは入球不能な閉鎖状態から入球容易若しくは入球可能な開放状態に変化可能な第２始動口と、１個若しくは複数個の大入賞口とが遊技領域に設けられ、
該遊技領域が、発射手段で発射された遊技球の発射威力が所定力未満であると流下する可能性が高い第１遊技領域部と、前記所定力以上であると流下する可能性が高い第２遊技領域部とを具備し、
前記第１始動口又は前記第２始動口への入球に起因して当否判定を行う当否判定手段と、
前記第１始動口に遊技球が入球することに起因し、特別図柄の一態様を構成する第１特別図柄の変動表示を行った後、該第１始動口への入球に起因して実行される当否判定の結果を示す停止図柄を、確定表示する第１特別図柄表示手段と、
前記第２始動口に遊技球が入球することに起因し、特別図柄の他態様を構成する第２特別図柄の変動表示を行った後、該第２始動口への入球に起因して実行される当否判定の結果を示す停止図柄を、確定表示する第２特別図柄表示手段と、
前記特別図柄の変動表示時間を特定するデータを所定数格納するとともに、遊技状態と特別図柄の態様に応じて各々設けられた変動テーブルと、
前記当否判定が行われると、遊技状態及び特別図柄の態様に応じた変動テーブルを参照して、前記特別図柄の変動表示時間を決定する変動表示時間決定手段と、
前記第１始動口又は前記第２始動口への入球に起因して実行された当否判定で大当りと判定されることに基づき、大当り遊技を実行する大当り遊技実行手段と、
少なくとも前記第２始動口への入球に起因して実行された当否判定の結果が小当りと判定されることに基づき、小当り遊技を実行する小当り遊技実行手段と、
前記大当りとして確変大当りと通常大当りを備え、前記大当りが確変大当りに決定されると前記大当り遊技実行後の遊技状態を、前記当否判定において大当りと判定される確率が通常遊技状態における確率よりも高確率とされた高確率状態に設定する高確率状態設定手段と、を備え、
前記高確率状態には、前記小当り遊技を実行する際に開閉する大入賞口に入球が容易な第１高確率状態と、該第１高確率状態より該入球が困難な第２高確率状態と、該第２高確率状態より該入球が困難な第３高確率状態とがあり、
前記第１特別図柄の変動表示と前記第２特別図柄の変動表示を同時に実行可能な遊技機であって、
前記第２特別図柄の変動表示時間を決定する際に参照する変動テーブルとして、前記遊技状態が通常遊技状態であるときに、格納されたデータが特定する平均変動時間が長い変動テーブルが参照され、前記遊技状態が高確率状態であるときに、格納されたデータが特定する平均変動時間が短い変動テーブルが参照されると共に、
前記第１始動口は前記第１遊技領域部に設けられ、
前記普通図柄始動部と、前記普通電動役物と、前記小当り遊技を実行する際に開閉する大入賞口とが、前記第２遊技領域部において遊技球の流下方向に沿った上流側から順に設けられ、前記普通電動役物が開放状態となると前記小当り遊技を実行する際に開閉する大入賞口への入球が困難となり、前記普通電動役物が閉鎖状態となると前記小当り遊技を実行する際に開閉する大入賞口への入球が容易となるように構成され、
前記確変大当りを複数種類備え、該確変大当りの種類に応じて普通図柄の抽選に関する抽選結果が当りのときの普通電動役物の開放態様が異なる態様に切り替わることを特徴とする。
【手続補正４】
【補正対象書類名】明細書
【補正対象項目名】０２２１
【補正方法】変更
【補正の内容】
【０２２１】
次に、実施例２において、右打ち中に演出図柄表示装置６にて行われる演出の例を示す。図３６（ａ）は、大当り図柄として「特図１＿１０Ｒ確変図柄」若しくは「特図２＿８Ｒ確変図柄」が確定表示された場合を示している。この場合、変更フラグが設定されない状態で、小当りラッシュ中である場合（高確率状態かつサポなし状態、つまり状態Ａ）である。
演出図柄表示装置６の画面には、演出図柄９５として、３桁のぞろ目数字（漢数字）からなる大当り図柄」が確定表示される。また、演出図柄表示装置６の画面には、「笑顔のキャラクタ（熊の達吉）９７」が表示されるとともに、「ノーマル達吉小当りラッシュに突入すること」旨の文字情報９６が表示される。
ここで、「ノーマル達吉小当りラッシュ」とは、「高確率状態かつサポなし状態（つまり、状態Ａ）で、変更フラグが設定されない状態」である場合を示している。